(57)【要約】【課題】従来、苗移植機の苗載台に苗補給する作業をしやすくすると謂う技術課題があった。【解決手段】メインステップ２１の左右に拡張ステップ２２を配設して苗載台４２の最も外側の苗載面４２−１・４２−８の前方に左右拡張ステップ２２の左右両側部が位置するように設け、座席２０の後側にメインステップ２１よりステップ面が高く後輪７の上側を覆うようにしたリヤステップ部２１ｃを設け、左右拡張ステップ２２の前部はメインステップ２１の座席２０及びハンドル１８の左右両側の左右ステップ部２１ａのステップ面と略同高さに設け、左右拡張ステップ２２の後部は前部よりも高くして左右補助車輪７’の上側に配置してリヤステップ部２１ｃのステップ面と略同高さに設けると共に、施肥装置５の肥料を収容する横長のホッパー部５ａの左右長さを苗載台４２の左右長さよりも短く構成した乗用田植機。【選択図】図２
2006087436.tif 000002
【特許請求の範囲】
【請求項１】
左右一対の操向用の前輪６・６及び左右一対の後輪７・７とその左右外側に補助車輪７’・７’を備えた走行車体２に設けた座席２０の前側及び左右両側にメインステップ２１を配置し、走行車体２の後側に複数の苗載面４２−１〜４２−８を左右方向に配置した苗載台４２を装備して複数条の苗を植え付ける苗移植機４を装着した乗用田植機において、メインステップ２１の左右両側に左右拡張ステップ２２・２２を配設して苗載台４２の最も左右外側の苗載面４２−１・４２−８の前方に該左右拡張ステップ２２・２２の左右両側部が位置するように設け、座席２０の後側にメインステップ２１よりステップ面が高く後輪７・７の上側を覆うようにしたリヤステップ部２１ｃを設け、左右拡張ステップ２２・２２の前部はメインステップ２１の座席２０及びハンドル１８の左右両側の左右ステップ部２１ａ・２１ａのステップ面と略同高さに設け、左右拡張ステップ２２・２２の後部は前部よりも高くして各々左右補助車輪７’・７’の上側に配置してリヤステップ部２１ｃのステップ面と略同高さに設けると共に、施肥装置５の肥料を収容する横長のホッパー部５ａとその下側に設けた肥料繰り出し部５ｂ…を走行車体２の後部に配設し、平面視でホッパー部５ａの左右長さを苗載台４２の左右長さよりも短く構成したことを特徴とする乗用田植機。
【発明の詳細な説明】
【技術分野】
【０００１】
この発明は、乗用型の田植機に関する。
【背景技術】
【０００２】
従来、左右一対の操向用の前輪と左右一対の後輪を備えた走行車体の後側に複数条の苗を植え付ける苗移植機を装着した乗用田植機があった。
【特許文献１】特開平３−２４４３０３号公報
【発明の開示】
【発明が解決しようとする課題】
【０００３】
然しながら、従来のものは、苗移植機の苗載台に苗補給する作業をしやすくすると謂う技術課題があった。
【課題を解決するための手段】
【０００４】
請求項１記載の発明は、左右一対の操向用の前輪６・６及び左右一対の後輪７・７とその左右外側に補助車輪７’・７’を備えた走行車体２に設けた座席２０の前側及び左右両側にメインステップ２１を配置し、走行車体２の後側に複数の苗載面４２−１〜４２−８を左右方向に配置した苗載台４２を装備して複数条の苗を植え付ける苗移植機４を装着した乗用田植機において、メインステップ２１の左右両側に左右拡張ステップ２２・２２を配設して苗載台４２の最も左右外側の苗載面４２−１・４２−８の前方に該左右拡張ステップ２２・２２の左右両側部が位置するように設け、座席２０の後側にメインステップ２１よりステップ面が高く後輪７・７の上側を覆うようにしたリヤステップ部２１ｃを設け、左右拡張ステップ２２・２２の前部はメインステップ２１の座席２０及びハンドル１８の左右両側の左右ステップ部２１ａ・２１ａのステップ面と略同高さに設け、左右拡張ステップ２２・２２の後部は前部よりも高くして各々左右補助車輪７’・７’の上側に配置してリヤステップ部２１ｃのステップ面と略同高さに設けると共に、施肥装置５の肥料を収容する横長のホッパー部５ａとその下側に設けた肥料繰り出し部５ｂ…を走行車体２の後部に配設し、平面視でホッパー部５ａの左右長さを苗載台４２の左右長さよりも短く構成した乗用田植機としたものである。
【０００５】
従って、左右一対の後輪７・７とその左右外側に補助車輪７’・７’を備えた走行車体２の構成であるが、メインステップ２１の左右両側に左右拡張ステップ２２・２２を配設して苗載台４２の最も左右外側の苗載面４２−１・４２−８の前方に該左右拡張ステップ２２・２２の左右両側部が位置するように設け、座席２０の後側にメインステップ２１よりステップ面が高く後輪７・７の上側を覆うようにしたリヤステップ部２１ｃを設け、左右拡張ステップ２２・２２の前部はメインステップ２１の座席２０及びハンドル１８の左右両側の左右ステップ部２１ａ・２１ａのステップ面と略同高さに設け、左右拡張ステップ２２・２２の後部は前部よりも高くして各々左右補助車輪７’・７’の上側に配置してリヤステップ部２１ｃのステップ面と略同高さに設けたから、メインステップ２１の左右ステップ部２１ａ・２１ａと左右拡張ステップ２２・２２の前部とで広いステップ面が形成されることとなり、また、左右拡張ステップ２２・２２の後部は補助車輪７’・７’の上側にかぶさるように設けられて、左右拡張ステップ２２・２２の後部はリヤステップ部２１ｃのステップ面と略同高さに設けられた構成となるので、苗移植機４の苗載台４２の最も左右外側の苗載面４２−１・４２−８にまで苗補給する作業がしやすい。
【０００６】
また、施肥装置５の肥料を収容する横長のホッパー部５ａとその下側に設けた肥料繰り出し部５ｂ…を走行車体２の後部に配設し、平面視でホッパー部５ａの左右長さを苗載台４２の左右長さよりも短く構成したから、簡潔な構成で苗移植機４の苗載台４２に苗補給する作業がしやすい。
【発明の効果】
【０００７】
この発明によると、苗移植機４の苗載台４２の最も左右外側の苗載面４２−１・４２−８にまで苗補給する作業がしやすく、課題を簡潔な構成で解消することができる。
【発明を実施するための最良の形態】
【０００８】
この発明の一実施例を図面に基づき説明する。
乗用田植機１は、走行車体２の後側に昇降作動する昇降リンク装置３を介して苗移植機４が装着されて構成されている。
【０００９】
５は側条施肥装置で、肥料を収容する横長で一体のホッパー部５ａとその下側に苗植付条数と同数個横一列で一体的に設けられる肥料繰り出し部５ｂ…が座席２０の後側で苗載台４２の前側、且つリヤステップ部２１ｃ上に配置され、各肥料繰り出し部５ｂ…と各条植付個所近傍に設けられた施肥ガイド部５ｄ…がホース５ｃ…で連結され、そのホース５ｃ…内を流れる圧風により肥料繰り出し部５ｂ…で繰り出された肥料が施肥ガイド部５ｄ…に搬送されて側条施肥されるように構成されている。ホース５ｃ…内に吹き込む圧風は、電動のブロアー５ｅで起風されて、そのブロアー５ｅからの圧風が横長パイプ状のエアーチャンバー５ｆ内に吹き込まれ、そのエアーチャンバー５ｆ内から各ホース５ｃ…内に圧風が吹き込まれるようになっている。エアーチャンバー５ｆは、リンクベース３１・３１の上端部に左右に横たわるように固設されていて、各肥料繰り出し部５ｂ…の取付けフレームと左右拡張ステップ２２の支持フレーム、更に予備苗載台５０の支持フレームを兼ねる。
【００１０】
走行車体２は、左右一対の操向用の駆動回転する前輪６・６と左右一対の駆動回転する後輪７・７を備えている。また、前側にミッション８が配され、そのミッション８の左右側部から前輪アクスルフレーム９・９が固着され、そのフレーム９・９の両端部に前輪ファイナルケース１０・１０が連結されて、そのケース１０・１０下側から外側に突出する前輪車軸１０ａ・１０ａに前輪６・６が取り付けられている。ミッション８内の動力が、前輪アクスルフレーム９・９、前輪ファイナルケース１０・１０内の伝動機構により伝達され、前輪６・６が駆動回転する。また、ミッション８の後側部に車体フレーム１１・１１の前端部が固着している。車体フレーム１１・１１の後端部は横フレーム１２に固着し、その横フレーム１２の中央部の軸受部に後輪フレーム１３の左右中央部に前後水平に軸心を向けて固着した後輪ローリング軸１３ａが嵌合している。後輪フレーム１３の左右に端部に後輪ギヤケース１４・１４が固着し、その後輪ギヤケース１４・１４の外側部から横に突出する後輪車軸１４ａ・１４ａに後輪７・７が取り付けられている。よって、ミッション８とフレーム１１・１１、横フレーム１２で構成される車体フレームに対し、後輪７・７が取り付けられている後輪フレーム１３が後輪ローリング軸１３ａ回りにローリングできるようになっている。ミッション８内の動力がその後側部から左右の後輪ギヤケース１４・１４に後輪伝動軸１４ａ・１４ａで伝動され、後輪７・７が駆動回転される。尚、後輪車軸１４ａ・１４ａには後輪７・７とともにその左右外側に後輪７・７の車輪径より若干小径の補助車輪７’・７’が取り付けられる。また、ミッション８への動力入力は、フレーム１１・１１上に支持したエンジンＥから第１ベルト伝動装置１５（１５ａ：エンジン側プーリー、１５ａ’：エンジン出力軸、１５ｂ：油圧ポンプ側プーリー、１５ｂ’：油圧ポンプ駆動軸、１５ｃ：伝動ベルト）でミッション８上に固設した油圧ポンプＰに一旦伝動され、そこからミッション８の入力軸に無段変速式の第２ベルト伝動装置１６（１６ａ：油圧ポンプ側割プーリー、１６ｂ：ミッション側割プーリー、１６ｂ’：ミッション入力軸、１６ｃ：伝動ベルト。両割プーリー１６ａ・１６ｂは副変速レバーにて背反的にプーリー幅が調節されるようになっている。）で高低速無段階で変速可能に伝動される。尚、エンジンＥに取り付けられたオルタネータＧにはエンジンＥの第２出力軸から第３ベルト伝動装置１７により伝動されている。また、車体前側にハンドル１８が設けられている。更に、エンジンＥの上側がエンジンカバー１９で覆われ、そのカバー１９上に座席２０が取り付けられている。
【００１１】
前輪６・６は、ハンドル１８を回動操作することによりその前後方向に対する向きが回動操作されるようになっている。即ち、ハンドル１８の回動は、ミッション８の前側底部に設けられたステアリングアーム１８ａに伝動し、更に、ロッド１８ｂ・１８ｂを介して左右の前輪ファイナルケース１０・１０に伝動する。前輪ファイナルケース１０・１０は、その上部ケースが前輪アクスルフレーム９・９に固着して車体に対し固定であり、下部ケースが上部ケースに対して上下動不能且つ上下軸芯周りに左右回動可能に設けられている。その下部ケースに一体に設けたアームに前記ロッド１８ｂ・１８ｂが連結している。よって、ハンドル１８を右回動すればステアリングアーム１８ａが右回動し、更に左右の前輪ファイナルケース１０・１０の下部ケースが右回動して前輪６・６は右回動する。反対に、ハンドル１８を左回動すれば、前輪６・６は左回動する。
【００１２】
後輪７・７は、前述のように、車体フレーム１１・１１に対して後輪フレーム１３が後輪ローリング軸１３ａ回りにローリング可能に構成されている。これにより、後輪７・７の左右の車輪が局所的に高さの異なる箇所を通過する場合にあっても、左右の接地荷重の変化に応じて後輪フレーム１３が後輪ローリング軸１３ａ回りにローリング動するから、後輪７・７の左右の車輪は常に接地状態を維持して走行できるようになっている。
【００１３】
前輪６・６と後輪７・７、及び補助車輪７’・７’の車輪跡の整地は、前輪跡がセンターフロート４８・４８により整地され、後輪跡が車輪跡消しレーキ６０・６０により整地され、補助車輪跡がサイドフロート４９・４９により整地されるようになっている。
【００１４】
ところで、前輪６・６は、そのトレッドが後輪７・７のトレッドより狭く設けられている。また、苗移植機４の植付装置４１…による苗植付条ＰＬ１〜ＰＬ８の左右位置に対する車輪通過位置が、後輪７・７が苗植付条ＰＬ２とＰＬ３の間の条間位置と苗植付条ＰＬ６とＰＬ７の間の条間位置とを通過するのに対し、前輪６・６ではその後輪通過位置よりも内側の条間位置、即ち苗植付条ＰＬ３とＰＬ４の間の条間位置と苗植付条ＰＬ５とＰＬ６の間の条間位置とを通過するように設けられている。尚、前輪６・６の車輪通過位置は、苗植付条ＰＬ３とＰＬ４の間の条間位置にあって、また苗植付条ＰＬ５とＰＬ６の間の条間位置にあって、左右外側の苗植付条ＰＬ３・ＰＬ６寄りに配設されている。また、補助車輪７’・７’は、苗植付条ＰＬ２とＰＬ３の間の条間位置と苗植付条ＰＬ６とＰＬ７の間の条間位置とを通過するように取り付けられている。
【００１５】
また、走行車体２には、メインステップ２１が座席２０より低位で前輪６・６の上側を覆うようにして設けられている。このステップ２１は、座席２０及びハンドル１８の左右両側の左右ステップ部２１ａ・２１ａと、座席２０の前側で左右ステップ部を連繋する中央ステップ部２１ｂとで構成される。また、座席２０の後側には、メインステップ２１よりステップ面が高く後輪７・７の上側を覆うようにしたリヤステップ部２１ｃが、左右ステップ部の後端部を連繋するように左右にわたって設けられている。
【００１６】
更に、左右拡張ステップ２２・２２が、左右ステップ部２１ａ・２１ａの左右両外側で、前輪車軸上方位置近傍からリヤステップ部２１ｃ左右外側位置に渡って設けられている。左右ステップ部２１ａ・２１ａの側部においては、左右ステップ部２１ａ・２１ａのステップ面と略同高さに設け、後部は一段高くなってリヤステップ部２１ｃのステップ面と略同高さに設けられている。尚、この拡張ステップ２２・２２は、補助車輪７’・７’の上側にかぶさるように設けられる。また、この拡張ステップ２２・２２の左右外側部には乗車ステップ２３・２３が固着されていて、機体左右側からステップ上に乗り降りするときに使用される。尚、機体前側から左右ステップ部２１ａ・２１ａ上にも乗り降りが可能である。
【００１７】
次に、ハンドル周辺の構成を以下に説明する。ハンドル１８の下側はポストカバー２７で覆われ、そのポストカバー２７の上部には各種作動状態を表示する表示パネル部が設けられている。また、その表示パネル部およびその周辺には、左側に主変速レバーと後輪デフロックレバー、右側に副変速レバー、アクセルレバーが配設されている。操縦者は、座席２０に座ってハンドル１８を操作しながら、前記各レバーを容易に持ち換えてそのレバー操作を目で確認しながら操作することができる。尚、ポストカバー２７の下側後側には操縦者が足で踏み込んで操作するペダルが設けられ、左側にはクラッチペダル、右側には後輪クラッチ・ブレーキペダルが設けられている。
【００１８】
昇降リンク装置３は、フレーム１１・１１の後側に固着されたリンクベース３１に回動自在に取り付けられた上リンク３２および下リンク３３・３３を備え、これら上下リンクの後端部に縦リンク３４が連結されている。そして、縦リンク３４の下端部から後方に突出する軸受部に苗植付作業機４の伝動ケース４０に固着の連結軸４０ａが回動自在に連結して、苗植付作業機４が進行方向に対して左右に回動自在に装着される。フレーム１１・１１に固着の支持部材に油圧シリンダ３５の基部側を枢支し、ピストンロッド側を上リンク３１の基部に一体で下向きに延びるスイングアーム３１ａの先端部にスプリングを介して連結している。油圧シリンダ３５を伸縮作動させると昇降リンク装置３が昇降作動し、苗植付作業機４が昇降するようになっている。この油圧シリンダ３５は油圧バルブ３６によって切り換え作動する。
【００１９】
苗移植機４は、８条植えの構成になっている。
まず、伝動ケース４０は、昇降リンク装置３に左右ローリング自在に連結し、また、走行車体２のミッションケース８から第１植付伝動軸８ａ、中間ギヤケース８ｂ、第１植付伝動軸８ｃを介して伝動される。この伝動ケース４０の左右側部に後方に延びる植付伝動フレーム４０ａ・４０ａの前部が連結し、更にその植付伝動フレーム４０ａ・４０ａの前部の左右外側部に連結パイプ４０ｂ・４０ｂを介して左右に植付伝動フレーム４０ｃ・４０ｃの前部が連結している。４つの植付伝動フレーム４０ａ・４０ａ・４０ｃ・４０ｃは所定の間隔で前後方向に並設され、その各伝動フレームの後端両側部から植付駆動軸４１ａ’…が突出して、その回転軸４１ａ’…に植付装置４１…の回転ケース４１ａ…が駆動回転するよう装着される。
【００２０】
植付装置４１は、前記植付駆動軸４１ａ’に連結される回転ケース４１ａと、その回転ケース４１ａの両端側部に装着される２つの植付具４１ｂ・４１ｂとからなる。植付具４１ｂ・４１ｂは、回転ケース４１ａ内の伝動機構により回転ケース４１ａの回転と逆方向に回転して植付具４１ｂ・４１ｂに固定されたフォーク状の苗分離具の先端が上下に変形楕円状の閉軌跡を描くように作動する。これにより、苗載台４２が左右に往復動して苗載面４２−１〜４２−８上の苗を支持レール４３の苗分割口４３ｃ…に順次供給しつつ、植付具４１ｂ…の苗分離具が前記苗取出口に供給された苗を分離して保持し、圃場に達したとき植付具４１ｂ…にそれぞれ装備された苗押出し機構により苗分離具が保持した苗を押し出して圃場に植え付ける。
【００２１】
４８・４８はセンターフロート、４９・４９は左右のサイドフロートである。これらフロート４８・４９・４９は、フロート前部が上下動自在に取り付けられ、また、圃場の泥面に接地した状態では機体重量の一部をこの接地部で受け、接地状態で機体を前方に進行させると泥面を整地しながら滑走する。２つのセンターフロート４８・４８で中央４条の植付位置を整地し、２つのサイドフロート４９・４９で左右４条の植付位置を整地するように設けられている。尚、センターフロート４８・４８は、苗移植機４を表土面に対して所定の高さに高さ制御するための表土面位置を検出するセンサでもある。これら２つのセンターフロート４８・４８の前部上面側は互いに連結部材で連結され、その連結部材に油圧バルブ２８が取り付けられて、フロート前部の上下動によりバルブスプールが苗移植機の機枠に固定されたバルブケースに対して出入するようになっている。苗移植機４が表土に対して所定の高さより低くなったときは、センターフロート４８の前端部が上動してバルブスプールがバルブケース内に押し込まれ、油圧シリンダ３５を伸ばす方向に油圧バルブ３６が切り替わって、植付作業機４を上昇させる。そして、植付作業機４の上昇とともにバルブスプールがバルブケース外に引き出され、植付作業機４が所定の高さに戻ったら、油圧シリンダ３５の作動が止まって植付作業機４の上昇がとまる。逆に、苗移植機４が表土に対して所定の高さより高くなったときは、センターフロート４８の前端部が下動してバルブスプールがバルブケース外に引き出され、油圧シリンダ３５が縮む方向に油圧バルブ３６が切り替わって、植付作業機４を下降させる。そして、植付作業機４の下降とともにバルブスプールがバルブケース内に押し込まれ、植付作業機４が所定の高さに戻ったら、油圧シリンダ３５の作動が止まって植付作業機４の下降がとまる。よって、走行車体２が上下動しても、苗移植機４は圃場の表土に対して所定の高さを維持するように制御されるので、苗移植機４に装着された移植装置４１…によって植付られる苗は圃場の表土に対して所定の深さに植付られる。
【００２２】
５０は予備苗載台で、植付作業機４に補給する苗を載せておくものである。この予備苗載台５０は、座席２０の後側で施肥装置５の上側に苗箱Ｃに納められた状態で左右横並びに苗が載せられるように設けられる。具体構成は、苗載せレール５０ａ・５０ａがその左右両端側と中央が互いに連結フレーム５０ｂ・５０ｂ・５０ｂで連結され、その連結された苗載せレール５０ａ・５０ａがエアーチャンバー５ｆに基部が固定された支持フレーム５０ｃ・５０ｃ…に固定支持されている。苗載せレール５０ａ・５０ａの上面には側断面形状がＬ字形状の苗箱ガイド枠５０ａ’・５０ａ’が固着されて、これにより、苗載せレール５０ａ・５０ａ上に載せられる苗箱Ｃが左右方向にはスライド自在とし且つ前後方向にはずれないように規制する。尚、後側の苗載せレール５０ａが前側の苗載せレール５０ａに対して若干低く設けられ、苗載せレール５０ａ・５０ａ上に載せられる苗箱Ｃ…が苗移植機４の苗載台４２側に向かって若干傾斜した状態で載せられるようになっている。これにより、苗載せレール５０ａ・５０ａ上に載せられる苗箱から苗をすくい取って苗移植機４の苗載台４２に苗補給する作業がしやすい。また、苗載せレール５０ａ・５０ａの左右両端部には、連結フレーム５０ｅ・５０ｅ；５０ｅ・５０ｅで互いに連結された延長レール５０ｄ・５０ｄ；５０ｄ・５０ｄが回動連結部５０ｆ・５０ｆで前後軸５０ｆ’・５０ｆ’回りに回動可能に連結されて、その延長レール５０ｄ・５０ｄ…を上方に回動して内側に折り畳みできるように設けられている。尚、延長レール５０ｄ・５０ｄ；５０ｄ・５０ｄは、苗載せレール５０ａ・５０ａからスライドして左右外方に突出するように構成することもできる。
【００２３】
よって、この予備苗載台５０に載せられる苗箱Ｃ…は、苗箱Ｃの長手方向が前後に向いた状態で苗載せレール５０ａ・５０ａが苗箱の前後端底部を受けて左右スライド自在に載せられる。この予備苗載台５０に苗箱Ｃ…を載せるときは、畦上にこの予備苗載台５０と同様な苗載せレール７０ａ・７０ａを有する畦苗補給台車７０を用意して、この畦苗補給台車７０上に横並びに複数枚苗箱Ｃ…を載せておき、田植機１が畦際に横向きに着たら、畦苗補給台車７０の苗載せレール７０ａ・７０ａの端部を予備苗載台５０の苗載せレール５０ａ・５０ａの左右端部に合致させ、畦苗補給台車７０上の苗箱を田植機側に押し出しスライドさせて載せる。また、この予備苗載台５０・５０の延長レール５０ｄ・５０ｄ；５０ｄ・５０ｄの左右外端部には、レール面上に出没操作可能な苗箱ストッパーピン５０ｇ・５０ｇ；５０ｇ・５０ｇが設けられている。この苗箱ストッパーピン５０ｇ…は、レール上下に開けられたピン穴に貫通され、レール中空部内においてストッパーピンに一体のピン５０ｈがスプリング５０ｉで上方に付勢されて取り付けられている。これにより、ストッパーピン５０ｇ…は、通常はスプリング５０ｉによりレール上面から上方に突出した状態にあるが、下方に押せばレール内に引っ込むようになっている。よって、畦苗補給台車７０の苗載せレール７０ａ・７０ａの端部を予備苗載台５０の苗載せレール５０ａ・５０ａの左右端部に合致させて搭載可能状態にセットすると、畦苗補給台車７０の苗載せレール７０ａ・７０ａの端部に一体のストッパーピン押し下げプレート７０ｂ・７０ｂが苗箱ストッパーピン５０ｇ・５０ｇが押し下げて、畦苗補給台車７０上の苗箱Ｃ…を田植機側の予備苗載台５０の苗載せレール５０ａ・５０ａに押し出しスライド可能な状態となる。予備苗載台５０の苗載せレール５０ａ・５０ａに押し出しスライドされた苗箱反対側レール端部から落ちないよう反対側レール端部に突出している苗箱ストッパーピン５０ｇ・５０ｇで止められる。
【００２４】
また、この予備苗載台５０の苗載せレール５０ａ・５０ａは、その上に苗載台４２の載置苗条数分（この実施例では８枚分）の苗箱Ｃ…を載せられる幅を有し、また、延長レール５０ｄ・５０ｄ；５０ｄ・５０ｄはそれぞれ、苗載せレール５０ａ・５０ａ上に載せられる苗箱の半分の枚数（この実施例では４枚）の苗箱Ｃ…づつ載せられる幅を有し、苗載せレール５０ａ・５０ａと延長レール５０ｄ・５０ｄ；５０ｄ・５０ｄとで合計、苗載台４２の載置苗条数分の２倍数（この実施例では１６枚）の苗箱Ｃ…が載せられるように設けられている。
【００２５】
５１・５１は条合わせマーカーで、機体前部の左右両側に設けられて、このマーカーを隣接条の既植付苗の上方に位置させることで、植付中の苗と隣接既植付苗との条間を所定の間隔に設定するものである。
【００２６】
５２・５２は線引きマーカーで、圃場内で往復走行して植付作業するときに、作業走行中に未植付側の泥土面に線引きマーカー体５２ａを滑走させて、次行程作業走行路のセンターラインを線引き作用するものである。
【００２７】
５３はセンターマーカーで、走行車体２の前端部左右中央位置に設けられている。このセンターマーカー５３を前記線引きマーカー５２・５２で線引きされたセンターラインに合わせて植付作業走行すれば、前行程作業走行時に植え付けられた苗の隣接条に対して所定の条間隔で植付作業走行することができる。
【００２８】
以上のように、この乗用田植機は、左右一対の操向用の前輪と左右一対の後輪を備えた走行車体の後側に複数条の苗を植え付ける苗移植機を装着した乗用田植機において、苗移植機に補給する予備苗を左右に横並び状態で搭載可能とする横長の予備苗載台を後輪の上側左右方向に配設するとともに、後輪をその左右の車輪が常に接地状態を維持するよう左右車輪の接地荷重の変化に応じて上下動可能に構成とした。
【００２９】
よって、この乗用田植機は、後輪をその左右の車輪が常に接地状態を維持するよう左右車輪の接地荷重の変化に応じて上下動可能に構成したので、凹凸の激しい圃場を走行しても、予備苗載台が左右に大きく傾くことがないから、予備苗載台上に載せた苗が振り落とされる心配がない。
【図面の簡単な説明】
【００３０】
【図１】乗用田植機の側面図。
【図２】乗用田植機の平面図。
【図３】走行車体及び整地装置の構成を示す平面図。
【図４】予備苗載台の構成を示す背面図。
【図５】予備苗載台の一部の構成を示す部分断面背面図。
【符号の説明】
【００３１】
１：乗用田植機
２：走行車体
３：昇降リンク装置
４：苗移植機
５：施肥装置
５ａ：ホッパー部
５ｂ…：肥料繰り出し部
６・６：前輪
７・７：後輪
７’・７’：補助車輪
１３：後輪フレーム
１３ａ：後輪ローリング軸
１８：ハンドル
２０：座席
２１：メインステップ
２１ａ・２１ａ： メインステップ２１の左右ステップ部
２１ｃ：リヤステップ部
２２・２２：左右拡張ステップ
４２：苗載台
４２−１〜４２−８：苗載面
５０：予備苗載台
【図１】
2006087436.tif 000003
【図２】
2006087436.tif 000004
【図３】
2006087436.tif 000005
【図４】
2006087436.tif 000006
【図５】
2006087436.tif 000007